(57)【特許請求の範囲】
【請求項１】
被記録媒体に対してノズルからインクを吐出し記録する記録ヘッドと、
被記録媒体および前記記録ヘッドの少なくとも一方を移動させ、被記録媒体と前記記録ヘッドとの相対的な位置関係を変える第１移動手段と、
被記録媒体を基準とした前記記録ヘッドと反対側に設けられ、前記インクを硬化させる電磁波を照射可能な第１照射部と、
被記録媒体および前記第１照射部の少なくとも一方を移動させ、被記録媒体と前記第１照射部との相対的な位置関係を変える第２移動手段と、
被記録媒体を基準とした前記記録ヘッドと同じ側に設けられ、前記インクを硬化させる電磁波を照射可能な第２照射部と、を備え、
前記インクと前記電磁波との関係は、前記電磁波の照射により前記インクに化学反応が生じることによって前記インクが硬化する関係であり、
前記被記録媒体は前記電磁波を透過する透過性を有しており、
前記第１移動手段によって前記記録ヘッドと被記録媒体とが相対的に移動することにより、被記録媒体における前記記録ヘッドのノズルから吐出されたインクが着弾した箇所と、前記記録ヘッドのノズルとが、対向する関係から対向しない関係となり、
該対向しない関係となった被記録媒体における前記インクが着弾した箇所に対して、前記第１照射部が照射する構成であり、
前記第２照射部が、被記録媒体における前記インクが着弾した箇所を照射した後、前記第１照射部が、被記録媒体における前記インクが着弾した箇所を照射する構成である記録装置。
【請求項２】
請求項１に記載の記録装置において、前記第１照射部が前記照射するとき、前記第１照
射部と被記録媒体とが相対的に移動する構成であり、
記録データ上における前記照射しようとする箇所の単位面積当たりのインクが着弾する量に応じて、前記第１照射部の照射量を変化させる構成であり、
前記第１照射部と被記録媒体とが相対的に移動することに伴い、前記着弾する量が減少したとき、前記照射量を減少させ、前記着弾する量が増加したとき、前記照射量を増加させることを特徴とする記録装置。
【請求項３】
請求項１に記載の記録装置において、前記第１照射部が前記照射するとき、前記第１照射部と被記録媒体とが相対的に移動する構成であり、
記録データ上における前記照射しようとする箇所の単位面積当たりのインクが着弾する量に応じて、前記第１照射部と被記録媒体との相対速度を変化させる構成であり、
前記第１照射部と被記録媒体とが相対的に移動することに伴い、前記着弾する量が減少したとき、前記相対速度を上げ、前記着弾する量が増加したとき、前記相対速度を下げることを特徴とする記録装置。
【請求項４】
請求項１から３のいずれか１項に記載の記録装置において、前記記録ヘッドは、被記録媒体に対して画像を記録するための第１類インクを吐出する第１ノズルを有する第１記録ヘッドと、
下地用の第２類インクを吐出する第２ノズルを有する第２記録ヘッドと、を備えており、
透明な被記録媒体に対して、前記第１ノズルによって前記第１類インクを吐出し、
被記録媒体における前記第１類インクが着弾した箇所を、前記第２照射部が照射し、
前記第１類インクが着弾した被記録媒体に対して、前記第２ノズルによって前記第２類インクを吐出し、
被記録媒体における前記第２類インクが着弾した箇所を、前記第２照射部が照射し、
被記録媒体における前記第１類インクが着弾した箇所を、前記第１照射部が照射する記録モードを有する構成である記録装置。
【請求項５】
請求項１から４のいずれか１項に記載の記録装置において、インクの種類に応じて、前記第１照射部が前記照射する電磁波の量を変える構成である記録装置。
【発明の詳細な説明】
【技術分野】
【０００１】
本発明は、記録ヘッドからインクを吐出し、被記録媒体に着弾したインクに対して電磁波を照射して前記インクを化学反応によって硬化させる記録装置に関する。  
本願において、記録装置には、インクジェットプリンター、ラインプリンター、複写機、ファクシミリ等の種類が含まれるものとする。
【背景技術】
【０００２】
従来では、特許文献１および特許文献２に示す如く、インクジェットプリンターは、記録ヘッドと、該記録ヘッドの近傍に設けられた紫外線照射部と、を備えていた。このうち、前記記録ヘッドは、用紙に対して紫外線硬化型インクを吐出するノズルを有していた。  
また、前記紫外線照射部は、用紙を基準とした前記記録ヘッドと同じ側に設けられていた。
【０００３】
図７に示すのは、従来技術における記録ヘッド４１と紫外線照射部４３との関係を示す正面断面図である。  
図７に示す如く、従来技術のプリンター４０は、記録ヘッド４１と、紫外線照射部４３とを備えていた。このうち、記録ヘッド４１は、媒体支持部４７に支持された用紙４６に対してノズル４２から紫外線硬化型インク４５を吐出するように設けられていた。また、紫外線照射部４３は、記録ヘッド４１の移動方向両側に近接して設けられていた。またさらに、記録ヘッド４１と一体に移動することができるように構成されていた。そして、記録ヘッド４１がインク４５を吐出しながら移動した際、進行方向後側の紫外線照射部４３が、用紙４６におけるインク４５が着弾した箇所に対して紫外線４４を照射し、インク４５を硬化させる構成であった。
【先行技術文献】
【特許文献】
【０００４】
【特許文献１】特開２００５−１０４１０８号公報
【特許文献２】特開２００４−３１４３０４号公報
【発明の概要】
【発明が解決しようとする課題】
【０００５】
しかしながら、紫外線照射部４３が記録ヘッド４１に近接して設けられているため、照射された紫外線４４の一部がインク４５の表面で反射し、反射した一部の紫外線４４が記録ヘッド４１のノズル４２に当たる虞がある。係る場合、ノズル４２において紫外線硬化型インク４５が硬化し、ノズル４２が詰まる虞がある。尚、特許文献２では、記録ヘッドと紫外線照射部との間につばを設けて、反射した紫外線をつばが遮蔽する構成ではあるが、インクの表面が平らであるとは限らないし、反射する際、紫外線は乱反射する。従って、つばを設けるだけでは十分ではなかった。
【０００６】
本発明は、このような状況に鑑み成されたものであり、その課題は、被記録媒体に着弾したインクに対して電磁波を照射させてインクを硬化させる際の弊害を考慮した記録装置を提供することである。
【課題を解決するための手段】
【０００７】
上記課題を達成するため、本発明の第１の態様の記録装置は、被記録媒体に対してノズルからインクを吐出し記録する記録ヘッドと、被記録媒体および前記記録ヘッドの少なくとも一方を移動させ、被記録媒体と前記記録ヘッドとの相対的な位置関係を変える第１移動手段と、被記録媒体を基準とした前記記録ヘッドと反対側に設けられ、前記インクを硬化させる電磁波を照射可能な第１照射部と、被記録媒体および前記第１照射部の少なくとも一方を移動させ、被記録媒体と前記第１照射部との相対的な位置関係を変える第２移動手段と、を備え、前記インクと前記電磁波との関係は、前記電磁波の照射により前記インクに化学反応が生じることによって前記インクが硬化する関係であり、前記被記録媒体は前記電磁波を透過する透過性を有しており、前記第１移動手段によって前記記録ヘッドと被記録媒体とが相対的に移動することにより、被記録媒体における前記記録ヘッドのノズルから吐出されたインクが着弾した箇所と、前記記録ヘッドのノズルとが、対向する関係から対向しない関係となり、該対向しない関係となった被記録媒体における前記インクが着弾した箇所に対して、前記第１照射部が照射する構成であることを特徴とする。
【０００８】
ここで、電磁波によって化学変化が生じて硬化するインクの例として、光硬化型インクを挙げることができる。「光硬化型インク」とは、光の照射を受けて硬化（固化）するインクをいう。光には、紫外線、可視光線、赤外線が含まれる。例えば、紫外線の照射を受けて硬化（固化）する紫外線硬化（固化）型インク（ＵＶインク）がある。インクの溶媒が揮発して硬化（固化）する染料インクや顔料インクと比較して、硬化（固化）する際の容積（体積）変化が小さい特徴がある。技術的思想としては、電磁波によってエネルギーが付与されることによりインク中の樹脂等の成分が化学反応を起こし硬化（固化）する構成であればよい。紫外線によって硬化（固化）するインクに限らない。  
また、「前記被記録媒体は前記電磁波を透過する透過性を有しており」とは、少しでも前記電磁波を透過することができる性質を有していることをいう。インクが着弾した側を表とした場合、裏から照射してインクを硬化させることができる関係であればよい。一般的に透明な被記録媒体は、特殊な処理が施されていない限り前記透過性を有している。また、透明に限らず、不透明の被記録媒体であっても、前記透過性を有していればよい。
【０００９】
本態様によれば、前記対向しない関係のときに、前記第１照射部が、前記反対側から被記録媒体における前記インクが着弾した箇所を照射する。従って、電磁波が前記記録ヘッドのノズルに照射されない。その結果、ノズルにおいてインクが硬化する虞がない。  
また、前記被記録媒体は透過性を有しているので、前記表のインクに対して裏（前記反対側）から電磁波を照射して前記表のインクを硬化させることができる。
【００１０】
例えば、被記録媒体が前記透過性を有する、薄い紙等の半透明な媒体、完全に無色透明なフィルム、透明なカラーフィルムである場合、前記反対側から電磁波をインクに照射させてインクを硬化させることができる。従って、係る場合に、上記構成は非常に有効である。尚、半透明な媒体、透明な媒体でなくとも、ある程度の電磁波を透過することができる媒体であれば、同様の作用効果を得ることができる。  
また、被記録媒体が前記第１照射部にインク滴およびインクミストが付着することを防止するバリアの役割を果たす。その結果、前記第１照射部が汚れる虞がない。
【００１１】
本発明の第２の態様は、第１の態様において、前記第１照射部が前記照射するとき、前記第１照射部と被記録媒体とが相対的に移動する構成であり、記録データ上における前記照射しようとする箇所の単位面積当たりのインクが着弾する量に応じて、前記第１照射部の照射量を変化させる構成であり、前記第１照射部と被記録媒体とが相対的に移動することに伴い、前記着弾する量が減少したとき、前記照射量を減少させ、前記着弾する量が増加したとき、前記照射量を増加させることを特徴とする。
【００１２】
本態様によれば、第１の態様と同様の作用効果に加え、前記第１照射部と被記録媒体とを相対的に一定の速度で移動させながら照射量を前記単位面積当たりのインクが着弾する量の多少に応じて変える。従って、その箇所のインクを硬化させるために必要な分だけの電磁波をエネルギーとして照射することができる。その結果、単位面積当たりのインクが着弾する量の多い箇所と少ない箇所とにおいて同じようにインクを硬化させることができ硬化ムラがない。  
また、単位面積当たりのインクが着弾する量が少ない箇所に対して、無駄に多い量の電磁波を照射することを防止することができるので、所謂、省エネにもなる。  
またさらに、前記無駄に多い量の電磁波を照射することによる弊害として、例えば、インクが収縮する量が大きくなることを防止することができる。
【００１３】
本発明の第３の態様は、第１の態様において、前記第１照射部が前記照射するとき、前記第１照射部と被記録媒体とが相対的に移動する構成であり、記録データ上における前記照射しようとする箇所の単位面積当たりのインクが着弾する量に応じて、前記第１照射部と被記録媒体との相対速度を変化させる構成であり、前記第１照射部と被記録媒体とが相対的に移動することに伴い、前記着弾する量が減少したとき、前記相対速度を上げ、前記着弾する量が増加したとき、前記相対速度を下げることを特徴とする。
【００１４】
本態様によれば、第１の態様と同様の作用効果に加え、照射量を所定の量としたままで前記第１照射部と被記録媒体との相対速度を前記単位面積当たりのインクが着弾する量の多少に応じて変える。従って、その箇所のインクを硬化させるために必要な分だけの電磁波をエネルギーとして照射することができる。その結果、上記第２の態様と同様の作用効果を得ることができる。
【００１５】
本発明の第４の態様は、第１から第３のいずれか一の態様において、被記録媒体を基準とした前記記録ヘッドと同じ側に設けられ、前記インクを硬化させる電磁波を照射可能な第２照射部をさらに備え、該第２照射部が、被記録媒体における前記インクが着弾した箇所を照射した後、前記第１照射部が、被記録媒体における前記インクが着弾した箇所を照射する構成であることを特徴とする。
【００１６】
本態様によれば、第１から第３のいずれか一の態様と同様の作用効果に加え、前記同じ側から電磁波を照射してインクを仮硬化（ピニング）させた後、前記反対側から電磁波を照射してインクを本硬化させることができる。例えば、着弾したインクの上にさらに重ねてインクを吐出する場合、着弾したインクの表面は仮硬化（ピニング）による半乾き（完全に硬化していない状態）の方が本乾き（完全に硬化した状態）より定着性がよいので、係る場合に前記構成は有効である。
【００１７】
また、係る場合、上側にインクが重ねて吐出されているため第２照射部からの電磁波は下側のインクまで届かない虞があり、前記第２照射部からの電磁波では下側のインクを本硬化させることができない虞がある。このとき、下側のインクに電磁波を確実に届かせることができるのは第１照射部のみであるので、第１照射部からの電磁波によって下側のインクを本硬化させることができ効率的にもよい。
【００１８】
本発明の第５の態様は、第４の態様において、前記記録ヘッドは、被記録媒体に対して画像を記録するための第１類インクを吐出する第１ノズルを有する第１記録ヘッドと、下地用の第２類インクを吐出する第２ノズルを有する第２記録ヘッドと、を備えており、透明な被記録媒体に対して、前記第１ノズルによって前記第１類インクを吐出し、被記録媒体における前記第１類インクが着弾した箇所を、前記第２照射部が照射し、前記第１類インクが着弾した被記録媒体に対して、前記第２ノズルによって前記第２類インクを吐出し、被記録媒体における前記第２類インクが着弾した箇所を、前記第２照射部が照射し、被記録媒体における前記第１類インクが着弾した箇所を、前記第１照射部が照射する記録モードを有する構成であることを特徴とする。
【００１９】
本態様によれば、第４の態様と同様の作用効果に加え、前記記録モードの場合に、前記第１照射部および前記第２照射部を有する構成は特に有効である。つまり、前述したように、第２類インクの定着性をよくすることができる。  
また、第２類インクが着弾した後に、前記第１照射部によって第１類インクを本硬化させることができる。
【００２０】
本発明の第６の態様は、第１から第５のいずれか一の態様において、インクの種類に応じて、前記第１照射部が前記照射する電磁波の量を変える構成であることを特徴とする。  
本態様によれば、第１から第５のいずれか一の態様と同様の作用効果に加え、インクの種類に応じて硬化に必要な電磁波の照射量が異なる場合であっても、照射量を必要な量に調整して硬化ムラ無く均一に硬化させることができる。
【００２１】
インクの種類毎に成分が異なるが、例えば、黒色インクの黒い色素は光を吸収するため、照射される光がインク滴における表面に近い箇所で吸収されてしまい、表面から遠い内部が硬化しにくい傾向がある。また、酸化チタンを使用した白色インクや、アルミニウムを使用したメタリック色系インクは、金属を使用している。そのため、照射される紫外線等の光をインク滴における表面に近い箇所で反射してしまい、表面から遠い内部が硬化しにくい傾向がある。これらの傾向を考慮して、インクの種類に応じて、照射量を調整することによって、硬化ムラ無く均一に硬化させることができる。  
また、例えば、インクが着弾する側を表としたときの表側および裏側の両方から前記紫外線等の光の照射量を調整して照射する場合、一方のみから照射する場合と比較して、よりムラ無く内部まで光を送ることができ、特に有効である。
【図面の簡単な説明】
【００２２】
【図１】本実施例のプリンターの概略を示す側面図。
【図２】（Ａ）（Ｂ）は本実施例の記録部の概略を示す正面断面図および平面図。
【図３】（Ａ）〜（Ｃ）は本実施例の記録部の動作を示す正面断面図。
【図４】本実施例の記録部の制御を示す図。
【図５】（Ａ）（Ｂ）は本実施例の概念を示す正面断面図。
【図６】他の実施例のラインプリンターの概略を示す側面図。
【図７】従来技術における記録ヘッドと紫外線照射部との関係を示す正面断面図。
【発明を実施するための形態】
【００２３】
以下、本発明の実施の形態を図面に基づいて説明する。  
図１に示すのは、本発明に係る記録装置の一例であるプリンター１の概略を示す側面図である。  
図１に示す如く、プリンター１は、媒体送り手段２と、記録部４と、排出手段の一例である巻き取り手段１２と、を備えている。このうち、媒体送り手段２は、被記録媒体（Ｓ）の一例であるロール媒体としての透明フィルムＳを送り方向下流側（Ｙ軸の矢印方向）へ送ることができるように設けられている。ここで、本実施例では、被記録媒体（Ｓ）は、インクを硬化させる電磁波（Ｗ）の一例である紫外線Ｗを透過させる透過性を有していることを前提とする。
【００２４】
媒体送り手段２は、具体的には、送り出し手段３と、ローラー対１４とを備えている。このうち、送り出し手段３は、ロール状に巻かれた透明フィルムＳを解いて送り方向下流側へ送り出すことができるように構成されている。また、ローラー対１４は、解かれた透明フィルムＳをさらに下流側の記録部４へ送ることができるように構成されている。  
また、記録部４は、媒体送り手段２より下流側において、透明フィルムＳに対してインクを吐出して記録を実行することができるように設けられている。
【００２５】
具体的には、記録部４は、記録ヘッドである第１記録ヘッド５および第２記録ヘッド７と、少なくとも一部が後述する電磁波（Ｗ）を透過することができる透過性を有する媒体支持部９と、を備えている。このうち、第１記録ヘッド５における媒体支持部９と対向する面には、インクを吐出するノズルである第１ノズル６が設けられている。同様に、第２記録ヘッド７における媒体支持部９と対向する面には、第２ノズル８が設けられている。
【００２６】
また、第１記録ヘッド５および第２記録ヘッド７は、第１キャリッジ１０に設けられている。そして、第１キャリッジ１０は、第１キャリッジ移動手段１５である第１ガイド軸１３および第１駆動モーターＭ１の動力によって、透明フィルムＳの幅方向Ｘへ移動可能に構成されている。尚、第１キャリッジ１０は制御部２０によって制御されて移動する構成である。  
またさらに、媒体支持部９は、透明フィルムＳを支持し、透明フィルムＳと第１記録ヘッド５および第２記録ヘッド７との間の距離を所定の距離に保つことができるように設けられている。尚、Ｚ軸方向は、媒体支持部９と第１記録ヘッド５および第２記録ヘッド７とが対向する方向である。また、鉛直方向でもある。
【００２７】
また、媒体支持部９の下方には、インクを硬化させることができる電磁波（Ｗ）の一例である紫外線Ｗを例えばＬＥＤで照射可能な第１照射部１６が設けられている。第１照射部１６は、第２キャリッジ１８に設けられている。そして、第２キャリッジ１８は、第２キャリッジ移動手段１９である第２ガイド軸１７および第２駆動モーターＭ２の動力によって、透明フィルムＳの幅方向Ｘへ移動可能に構成されている。尚、第２キャリッジ１８は制御部２０によって制御されて移動する構成である。また、前述した媒体支持部９は、記録ヘッド（５、７）と反対側である下方から第１照射部１６が透明フィルムＳに対して紫外線Ｗを照射することができるように、少なくとも一部が透過性を有している。例えば、前記一部を透明に構成してもよい。
【００２８】
また、巻き取り手段１２は、記録部４より下流側において、記録された透明フィルムＳを巻き取ることができるように設けられている。  
尚、ロール媒体の一例として透明フィルムＳについて説明するが、透明フィルムＳに限らない。布（反物）や紙でもよいのは勿論である。また、被記録媒体（Ｓ）は、ロール状のものに限らない。シート状の所謂、単票紙でもよい。  
続いて、第１記録ヘッド５、第２記録ヘッド７、第１照射部１６等についてより詳しく説明する。
【００２９】
図２（Ａ）（Ｂ）に示すのは、本実施例の記録部４の概略を示す正面断面図および平面図である。このうち、図２（Ａ）は送り方向下流側から上流側へ向かってみた正面断面図である。一方、図２（Ｂ）は図２（Ａ）の平面図である。  
図２（Ａ）（Ｂ）に示す如く、媒体支持部９上の透明フィルムＳを基準とした一方（上方）には第１キャリッジ１０が設けられている。また、他方（下方）には第２キャリッジ１８が設けられている。
【００３０】
第１キャリッジ１０には、前述した第１記録ヘッド５および第２記録ヘッド７に加え、インクを硬化させることができる電磁波（Ｗ）の一例である紫外線Ｗを照射可能な第２照射部１１ａ〜１１ｃ（１１）が設けられている。本実施例では、第２照射部１１は、第１記録ヘッド５と第２記録ヘッド７との間に一つ、第１記録ヘッド５と第２記録ヘッド７との外側の両側に二つの計三つ設けられている。そして、これらが一体となって、幅方向Ｘへ移動するように構成されている。
【００３１】
また、前述したように、第２キャリッジ１８に設けられた第１照射部１６も同様に幅方向Ｘへ移動するように構成されている。  
第１記録ヘッド５には、透明フィルムＳに対して第１類インク（Ｌ１）を吐出する第１ノズル６が設けられている。本実施例では、シアン、マゼンタ、イエロー、ブラック等のインクＬ１を吐出する。一方、第２記録ヘッド７には、第２類インク（Ｌ２）を吐出する第２ノズル８が設けられている。本実施例では、白インクＬ２を吐出する。
【００３２】
ここで、「第１類インク」は、主に画像（文字、図形、模様等）の情報を形成するインクである。第２類インク（Ｌ２）と併用する場合は、見る人を上側としたとき、第２類インク（Ｌ２）の層の上となる位置に吐出されるインクである。具体的には、有彩色のインクや、白以外の無彩色のインクである。例えば、シアン、マゼンタ、イエロー、ブラック等のインクを挙げることができる。また、「第２類インク」は、白、メタル色等の下地として用いられるインクである。下地用の「第２類インク」を用いることにより、下地の上に吐出される「第１類インク」の発色をよくすることができる。  
尚、「第１類インク」のみを単独で用いてもよいのは勿論である。
【００３３】
また、本実施例のプリンター１は、第１記録モードと、第２記録モードとを有している。このうち、第１記録モードとは、先に第２類インク（Ｌ２）を吐出してから、その上に第１類インク（Ｌ１）を吐出して記録をするモードをいう。第１記録モードは、被記録媒体（Ｓ）が紙等であって、記録した面（インクを吐出した側の面）から、文字、模様、写真等を見る場合に用いる記録モードである。  
一方、第２記録モードとは、先に第１類インク（Ｌ１）を吐出してから、その上に第２類インク（Ｌ２）を吐出して記録をするモードをいう。第２記録モードは、被記録媒体（Ｓ）が透明のフィルム等であって、記録した面（インクを吐出した側の面）と反対側の面から、文字、模様、写真等を見る場合に用いる記録モードである。
【００３４】
尚、第１照射部１６の送り方向Ｙにおける位置は、本実施例では、第１記録ヘッド５および第２記録ヘッド７の位置と同じにしたがこれに限らない。同じ位置または第１記録ヘッド５および第２記録ヘッド７より送り方向下流側であればよい。この条件であれば、透明フィルムＳに着弾したインクに対して紫外線Ｗを照射してインクを硬化させることができるからである。  
続いて、第１キャリッジ１０の動作と第２キャリッジ１８の動作との関係について説明する。
【００３５】
図３（Ａ）〜（Ｃ）に示すのは、本実施例の記録部４の動作を示す正面断面図である。また、図４に示すのは、本実施例の記録部４の制御を示す図である。図４について説明しながら、図３（Ａ）〜（Ｃ）について説明する。尚、図３（Ａ）〜（Ｃ）では理解を容易にするために第１キャリッジ１０の図示を省略する。  
図４に示す如く、ステップＳ１では、制御部２０が、現在選択されている記録モードが第２記録モードか否かを判定する。第２記録モードが選択されていると判定した場合、第２記録モードを実行するべく、ステップＳ２へ進む。一方、否と判定した場合、第１記録モードを実行するべく、ステップＳ７へ進む。
【００３６】
ステップＳ２では、図３（Ａ）に示す如く、第１キャリッジ１０を移動させながら、透明フィルムＳに対して、第１記録ヘッド５の第１ノズル６から第１類インク（Ｌ１）としてのシアン、マゼンタ、イエロー、ブラック等のインクＬ１を吐出する。そして、ステップＳ３へ進む。  
ステップＳ３では、透明フィルムＳに着弾したシアン、マゼンタ、イエロー、ブラック等のインクＬ１を仮硬化させるべく、第１記録ヘッド５より移動方向後側の第２照射部１１ｂ（１１）によって紫外線Ｗを照射する。
【００３７】
ここで、仮硬化とは、完全に硬化（本硬化）させる前の中途半端に硬化した状態をいう。着弾したインクの表面が完全に硬化して完全に乾いた場合と比較して、半乾きの方が、重ねてインクを吐出した場合に上側のインクの定着性をよくすることができるからである。  
尚、紫外線Ｗの照射量は、単位面積当たりのインクが着弾した量の多少に応じて、調整してもよい。具体的には、着弾した量が多い場合は照射量を多くし、着弾した量が少ない場合は照射量を少なくする。着弾した量が多いか少ないかは、記録データに基づいて対応する箇所におけるインクの吐出量から制御部２０が判断することができる。  
そして、ステップＳ４へ進む。
【００３８】
ステップＳ４では、図３（Ｂ）に示す如く、第２記録ヘッド７の第２ノズル８から第２類インク（Ｌ２）としての白インクＬ２を吐出する。そして、ステップＳ５へ進む。  
ステップＳ５では、白インクＬ２を硬化させるべく、第２記録ヘッド７より移動方向後側の第２照射部１１ｃ（１１）によって紫外線Ｗを照射する。そして、ステップＳ６へ進む。
【００３９】
ステップＳ６では、図３（Ｃ）に示す如く、第２キャリッジ１８を等速度で移動させながら、第１照射部１６によって紫外線Ｗを照射し、仮硬化されたシアン、マゼンタ、イエロー、ブラックを本硬化させる。この際、紫外線Ｗの照射量は、前述したステップＳ３と同様、単位面積当たりのインクが着弾した量の多少に応じて、調整してもよい。具体的には、着弾した量が多い場合は照射量を多くし、着弾した量が少ない場合は照射量を少なくする。着弾した量が多いか少ないかは、記録データに基づいて対応する箇所におけるインクの吐出量から制御部２０が判断することができる。
【００４０】
その結果、単位面積当たりのインクが着弾する量の多い箇所と少ない箇所とにおいて同じようにインクを硬化させることができ硬化ムラがない。  
また、単位面積当たりのインクが着弾する量が少ない箇所に対して、無駄に多い量の紫外線Ｗを照射することを防止することができるので、所謂、省エネにもなる。  
またさらに、前記無駄に多い量の紫外線Ｗを照射することによる弊害として、例えば、インクが収縮する量が大きくなることを防止することができる。
【００４１】
尚、第１照射部１６を一定の速度で移動させながら、単位面積当たりのインクが着弾する量の多少に応じて、照射量を調整することにより、単位量当たりのインクに対する照射量を略同じとするように構成したが、これに限らない。照射量を調整せずに、第１照射部１６の透明フィルムＳに対する相対的な速度を調整してもよい。係る場合、単位面積当たりのインクが着弾する量の多い箇所に対しては、第１照射部１６が低速で通過する。一方、前記多い箇所より少ない箇所に対しては、第１照射部１６が前記多い箇所を通過するときの速度より高速で通過するように構成する。これにより、単位量当たりのインクに対する照射量を略同じとすることができる。
【００４２】
さらに、インクの種類に応じて、単位量当たりのインクに対する照射量を調整してもよい。例えば、黒色インクの黒い色素は光を吸収するため、照射される光がインク滴における表面に近い箇所で吸収されてしまい、表面から遠い内部が硬化しにくい傾向がある。また、酸化チタンを使用した白色インクや、アルミニウムを使用したメタリック色系インクは、金属を使用しているため、照射される紫外線Ｗ等の光をインク滴における表面に近い箇所で反射してしまい、表面から遠い内部が硬化しにくい傾向がある。これらの傾向を考慮して、インクの種類に応じて、照射量を調整することによって、硬化ムラ無く均一に硬化させることができる。  
ステップＳ７では、前述した第１記録モードを実行する。ここでは詳しい説明を省略する。その後、シーケンスを終了する。
【００４３】
続いて、第１照射部１６を設けた技術的思想についてより詳しく説明する。  
図５（Ａ）（Ｂ）に示すのは、本実施例における発明の概念を示す正面断面図である。理解を容易にするため、必要最小限の構成のみを図示する。  
図５（Ａ）に示す如く、第１記録ヘッド５と前記透過性を有する被記録媒体（Ｓ）とが相対的に移動する。本実施例では、第１記録ヘッド５が第１キャリッジ移動手段１５によって移動する。
【００４４】
そして、第１記録ヘッド５が移動しながら、第１ノズル６からインクＬ１を吐出する。第１記録ヘッド５が移動することにより、インクＬ１が着弾した箇所と、第１ノズル６の位置とが、対向した関係から対向しない関係となる。そして、該対向しない関係となった前記インクＬ１が着弾した箇所に対して、第１照射部１６が電磁波（Ｗ）を照射し、着弾したインクＬ１を硬化させる。
【００４５】
この際、電磁波（Ｗ）が第１ノズル６に照射されないので、第１ノズル６においてインクＬ１が電磁波（Ｗ）によって硬化する虞がない。また、これにより、第１ノズル６が詰まる虞もない。  
またさらに、第１照射部１６は、被記録媒体（Ｓ）を基準とした第１記録ヘッド５が設けられている側と反対側に設けられているため、第１照射部１６がインク滴やインクミストによって汚れる虞がない。言い換えると、第１記録ヘッド５と第１照射部１６との間にある被記録媒体（Ｓ）が所謂、バリアの役割を果たすので、第１照射部１６がインクＬ１によって汚れる虞がない。また、これにより、第１照射部１６の照射量が低下する虞もない。
【００４６】
また、第１照射部１６は、第１記録ヘッド５と反対側に設けられており、第１記録ヘッド５と衝突しない。そのため、照射部が記録ヘッドと同じ側のみに設けられている構成（従来技術の構成）と比較して、インクＬ１が着弾した箇所に対して早いタイミングで対向することができる。従って、早いタイミングでインクＬ１に電磁波（Ｗ）を照射してインクＬ１を硬化させることができる。
【００４７】
その結果、インクＬ１が吐出されてから硬化するまでの時間を短くすることができ、着弾したインクＬ１のドット径が広がってしまうことを低減することができる。着弾後において、ドット径が広がりやすいインクと広がりにくいインクとの差を小さくすることができ、ドット径のバラツキを低減することができる。  
また、インクＬ１が吐出されてから硬化するまでの時間を短くすることにより、その間に生ずる異臭等の影響を低減することができる。
【００４８】
またさらに、制御部２０が、記録データ上における照射しようとする箇所の単位面積当たりのインクＬ１が着弾する量に応じて、第１照射部１６の照射量を記録データに基づいて変化させる制御を行う。ここで、インクＬ１が着弾する量は、インクＬ１を吐出する量より判断することができる。第１照射部１６と被記録媒体（Ｓ）との相対的な位置関係が変わるように移動することにより、第１照射部１６が被記録媒体（Ｓ）に対して照射する箇所が移動する。この移動に伴い、制御部２０は、前記着弾する量が減少したとき、照射量を減少させ、前記着弾する量が増加したとき、照射量を増加させるように制御する。
【００４９】
その結果、前述したように、単位面積当たりのインクＬ１が着弾する量の多い箇所と少ない箇所とにおいて同じようにインクＬ１を硬化させることができ硬化ムラがない。  
また、単位面積当たりのインクＬ１が着弾する量が少ない箇所に対して、無駄に多い量の電磁波（Ｗ）を照射することを防止することができるので、所謂、省エネにもなる。  
またさらに、前記無駄に多い量の電磁波（Ｗ）を照射することによる弊害として、例えば、インクＬ１が収縮する量が大きくなることを防止することができる。
【００５０】
尚、前述したように、照射量を調整せずに、第１照射部１６の被記録媒体（Ｓ）に対する相対的な速度を調整してもよい。係る場合、単位面積当たりのインクＬ１が着弾する量の多い箇所に対しては、第１照射部１６が低速で通過し、前記多い箇所より少ない箇所に対しては、第１照射部１６が前記多い箇所を通過するときの速度より高速で通過することにより、単位量当たりのインクＬ１に対する照射量を略同じとすることができる。  
さらに、前述したように、インクＬ１の種類に応じて、単位量当たりのインクＬ１に対する照射量を調整してもよい。
【００５１】
また、本実施例では、媒体支持部９が被記録媒体（Ｓ）を支持する構成としたが、媒体支持部９が無い構成でもよい。例えば、一のロールと他のロールとの間で被記録媒体（Ｓ）をピンと張りながら、被記録媒体（Ｓ）を送る構成でもよい。  
またさらに、第１記録ヘッド５からカラーインクＬ１を吐出し、カラーインクＬ１を第１照射部１６によって硬化させる構成について説明したが、カラーインクＬ１に限らない。第２記録ヘッド７から白インクＬ２を吐出し、白インクＬ２を第１照射部１６によって硬化させる構成でもよい。
【００５２】
本実施例の記録装置であるプリンター１は、被記録媒体（Ｓ）に対してノズルである第１ノズル６からインクＬ１を吐出し記録する記録ヘッドである第１記録ヘッド５と、被記録媒体（Ｓ）および第１記録ヘッド５の少なくとも一方を移動させ、被記録媒体（Ｓ）と第１記録ヘッド５との相対的な位置関係を変える第１移動手段である第１キャリッジ移動手段１５と、被記録媒体（Ｓ）を基準とした第１記録ヘッド５と反対側に設けられ、インクＬ１を硬化させる電磁波（Ｗ）の一例である紫外線Ｗを照射可能な第１照射部１６と、被記録媒体（Ｓ）および第１照射部１６の少なくとも一方を移動させ、被記録媒体（Ｓ）と第１照射部１６との相対的な位置関係を変える第２移動手段である第２キャリッジ移動手段１９と、を備え、インクＬ１と紫外線Ｗとの関係は、紫外線Ｗの照射によりインクＬ１に化学反応が生じることによってインクＬ１が硬化する関係であり、被記録媒体（Ｓ）は紫外線Ｗを透過する透過性を有しており、第１キャリッジ移動手段１５によって第１記録ヘッド５と被記録媒体（Ｓ）とが相対的に移動することにより、被記録媒体（Ｓ）における第１記録ヘッド５のノズルから吐出されたインクＬ１が着弾した箇所と、第１記録ヘッド５のノズルとが、対向する関係から対向しない関係となり、該対向しない関係となった被記録媒体（Ｓ）におけるインクＬ１が着弾した箇所に対して、第１照射部１６が照射する構成であることを特徴とする。
【００５３】
また、本実施例において、第１照射部１６が前記照射するとき、第１照射部１６と被記録媒体（Ｓ）とが相対的に移動する構成であり、記録データ上における前記照射しようとする箇所の単位面積当たりのインクＬ１が着弾する量に応じて、第１照射部１６の照射量を変化させる構成であり、第１照射部１６と被記録媒体（Ｓ）とが相対的に移動することに伴い、前記着弾する量が減少したとき、前記照射量を減少させ、前記着弾する量が増加したとき、前記照射量を増加させることを特徴とする。  
尚、記録データ上における前記照射しようとする箇所の単位面積当たりのインクＬ１が着弾する量に応じて、第１照射部１６と被記録媒体（Ｓ）との相対速度を変化させる構成であり、第１照射部１６と被記録媒体（Ｓ）とが相対的に移動することに伴い、前記着弾する量が減少したとき、前記相対速度を上げ、前記着弾する量が増加したとき、前記相対速度を下げる構成としてもよい。
【００５４】
またさらに、本実施例において、被記録媒体（Ｓ）を基準とした第１記録ヘッド５と同じ側に設けられ、インクＬ１を硬化させる紫外線Ｗを照射可能な第２照射部１１をさらに備え、第２照射部１１が、被記録媒体（Ｓ）におけるインクＬ１が着弾した箇所を照射した後、第１照射部１６が、被記録媒体（Ｓ）におけるインクＬ１が着弾した箇所を照射する構成であることを特徴とする。
【００５５】
また、本実施例において、記録ヘッドは、被記録媒体（Ｓ）に対して画像を記録するための第１類インク（Ｌ１）を吐出する第１ノズル６を有する第１記録ヘッド５と、下地用の第２類インク（Ｌ２）を吐出する第２ノズル８を有する第２記録ヘッド７と、を備えており、透明な被記録媒体である透明フィルムＳに対して、第１ノズル６によって第１類インク（Ｌ１）を吐出し、透明フィルムＳにおける第１類インク（Ｌ１）が着弾した箇所を、第２照射部１１ｂ（１１）が照射し、第１類インク（Ｌ１）が着弾した透明フィルムＳに対して、第２ノズル８によって第２類インク（Ｌ２）を吐出し、透明フィルムＳにおける第２類インク（Ｌ２）が着弾した箇所を、第２照射部１１ｃ（１１）が照射し、透明フィルムＳにおける第１類インク（Ｌ１）が着弾した箇所を、第１照射部１６が照射する記録モードである第２記録モードを有する構成であることを特徴とする。  
またさらに、本実施例において、インクＬ１、Ｌ２の種類に応じて、第１照射部１６が前記照射する紫外線Ｗの量を変える構成であることを特徴とする。
【００５６】
［他の実施例］
図６に示すのは、他の実施例のラインプリンター３０の概略を示す側面図である。  
図６に示す如く、他の実施例の記録部３６は、送り方向上流側から下流側へ向かって順に、第１記録ヘッド３１と、第２記録ヘッド３２と、第３記録ヘッド３３とを有している。第１記録ヘッド３１〜第３記録ヘッド３３は、被記録媒体（Ｓ）の幅方向Ｘに長尺であり、被記録媒体（Ｓ）の幅より広い範囲に対してそれぞれのノズル（３１ａ〜３３ａ）からインクＬ１、Ｌ２を吐出可能に設けられている。このうち、第１記録ヘッド３１は、ノズル３１ａから白インクＬ２を吐出する。また、第２記録ヘッド３２は、ノズル３２ａからシアン、マゼンタ、イエロー、ブラック等のインクＬ１を吐出する。またさらに、第３記録ヘッド３３は、ノズル３３ａから白インクＬ２を吐出する構成である。
【００５７】
また、被記録媒体（Ｓ）を基準とした第１記録ヘッド３１〜第３記録ヘッド３３が設けられている側と反対側には、インクＬ１、Ｌ２を硬化させる紫外線Ｗを照射可能な第１照射部３４ａ、３４ｂ（３４）が、例えば二つ設けられている。二つの第１照射部３４ａ、３４ｂ（３４）は、前述した実施例と同様に、第２キャリッジ移動手段１９によって移動可能に設けられている。
【００５８】
尚、前述した実施例と異なる点は、前述した実施例では幅方向Ｘに移動可能に構成されていたが、他の実施例では送り方向Ｙに移動可能に構成されている点である。これは、他の実施例では、第１照射部３４は、第１記録ヘッド３１〜第３記録ヘッド３３と同様に幅方向Ｘに長尺であり、被記録媒体（Ｓ）の幅より広い第１記録ヘッド３１〜第３記録ヘッド３３のインク吐出可能な範囲に対して紫外線Ｗを照射することができるように設けられており、幅方向Ｘに移動する必要がないからである。また、後述するように記録モードに応じて位置を変えるためである。またさらに、必要に応じて、インクＬ１、Ｌ２の単位量当たりに対する照射量を調整するためでもある。技術的思想としては、被記録媒体（Ｓ）と第１照射部３４との相対的な位置関係が変わるように被記録媒体（Ｓ）および第１照射部３４の少なくとも一方を移動させ、被記録媒体（Ｓ）におけるインクＬ１、Ｌ２が着弾した箇所に対して紫外線Ｗを照射させることができればよい。従って、被記録媒体（Ｓ）が第１照射部３４に対して移動すればよく、第１照射部３４が移動しない構成でもよい。
【００５９】
一方、第１記録ヘッド３１〜第３記録ヘッド３３が設けられている側には、インクＬ１、Ｌ２を硬化させる紫外線Ｗを照射可能な第２照射部３５ａ〜３５ｃ（３５）が三つ設けられている。三つの第２照射部３５ａ〜３５ｃ（３５）は、第１記録ヘッド３１〜第３記録ヘッド３３それぞれの送り方向下流側に設けられている。三つの第２照射部３５ａ〜３５ｃ（３５）は、それぞれ上流側の記録ヘッド（３１〜３３）から吐出されたインクＬ１、Ｌ２が着弾した箇所に対して紫外線Ｗを照射するように構成されている。  
尚、その他の構成については、前述した実施例と同様であるので、同じ符号を用いることとし、その説明は省略する。
【００６０】
前述した第１記録モードの場合、被記録媒体（Ｓ）に対して第１記録ヘッド３１から白インクＬ２を吐出し、第１照射部３４ａ（３４）および第２照射部３５ａ（３５）の少なくとも一方によって紫外線Ｗを照射し、白インクＬ２を仮硬化させる。その後、第２記録ヘッド３２からシアン、マゼンタ、イエロー、ブラック等のインクＬ１を吐出し、第１照射部３４ｂ（３４）および第２照射部３５ｂ（３５）によって紫外線Ｗを照射し、白インクＬ２およびシアン、マゼンタ、イエロー、ブラック等のインクＬ１を本硬化させる。
【００６１】
一方、前述した第２記録モードの場合、透明フィルムＳに対して第２記録ヘッド３２からシアン、マゼンタ、イエロー、ブラック等のインクＬ１を吐出し、第１照射部３４ａ（３４）および第２照射部３５ｂ（３５）の少なくとも一方によって紫外線Ｗを照射し、シアン、マゼンタ、イエロー、ブラック等のインクＬ１を仮硬化させる。その後、第３記録ヘッド３３から白インクＬ２を吐出する。そして、第２照射部３５ｃ（３５）から紫外線Ｗを白インクＬ２に対して照射して硬化させる。同様に、第１照射部３４ｂ（３４）から紫外線Ｗをシアン、マゼンタ、イエロー、ブラック等のインクＬ１に対して照射して本硬化させる。
【００６２】
この際、前述した実施例と同様、第１照射部３４が記録ヘッド（３１〜３３）と反対側から紫外線Ｗを照射するので、前述した実施例と同様の作用効果を得ることができる。  
尚、第１照射部３４を二つ設けたが、二つに限らない。一つでもよいし、三つでもよい。他の実施例において、二つ設けた理由は、記録モードに応じて位置を移動させ、表裏の両側から紫外線Ｗを適した量だけ照射してより確実にムラ無く硬化させるためである。  
単位面積当たりの着弾するインクＬ１、Ｌ２の量に応じて照射量を調整することや、インクＬ１、Ｌ２の種類に応じて照射量を調整することは、前述した実施例と同様である。その説明は省略する。
【００６３】
他の実施例の記録装置であるラインプリンター３０は、被記録媒体（Ｓ）に対してノズル３２ａからインクＬ１を吐出し記録する記録ヘッドである第２記録ヘッド３２と、被記録媒体（Ｓ）および第２記録ヘッド３２の少なくとも一方を移動させ、被記録媒体（Ｓ）と第２記録ヘッド３２との相対的な位置関係を変える第１移動手段である媒体送り手段２と、被記録媒体（Ｓ）を基準とした第２記録ヘッド３２と反対側に設けられ、インクＬ１を硬化させる電磁波（Ｗ）の一例である紫外線Ｗを照射可能な第１照射部３４と、被記録媒体（Ｓ）および第１照射部３４の少なくとも一方を移動させ、被記録媒体（Ｓ）と第１照射部３４との相対的な位置関係を変える第２移動手段である媒体送り手段２と、を備え、インクＬ１と紫外線Ｗとの関係は、紫外線Ｗの照射によりインクＬ１に化学反応が生じることによってインクＬ１が硬化する関係であり、被記録媒体（Ｓ）は紫外線Ｗを透過する透過性を有しており、媒体送り手段２によって第２記録ヘッド３２と被記録媒体（Ｓ）とが相対的に移動することにより、被記録媒体（Ｓ）における第２記録ヘッド３２のノズル３２ａから吐出されたインクＬ１が着弾した箇所と、第２記録ヘッド３２のノズル３２ａとが、対向する関係から対向しない関係となり、該対向しない関係となった被記録媒体（Ｓ）におけるインクＬ１が着弾した箇所に対して、第１照射部３４が照射する構成であることを特徴とする。
【００６４】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００６５】
１  プリンター、２  媒体送り手段（他の実施例では第１移動手段、第２移動手段）、
３  送り出し手段、４  記録部、５  第１記録ヘッド、６  第１ノズル、
７  第２記録ヘッド、８  第２ノズル、９  媒体支持部、１０  第１キャリッジ、
１１  第２照射部、１２  巻き取り手段、１３  第１ガイド軸、１４  ローラー対、
１５  第１キャリッジ移動手段（第１移動手段）、１６  第１照射部、
１７  第２ガイド軸、１８  第２キャリッジ、
１９  第２キャリッジ移動手段（第２移動手段）、２０  制御部、
３０  （他の実施例の）ラインプリンター、３１  第１記録ヘッド、３１ａ  ノズル、
３２  第２記録ヘッド、３２ａ  ノズル、３３  第３記録ヘッド、３３ａ  ノズル、
３４  第１照射部、３５  第２照射部、３６  記録部、
４０  （従来技術の）プリンター、４１  記録ヘッド、４２  ノズル、
４３  紫外線照射部、４４  紫外線、４５  インク、４６  用紙、４７  媒体支持部、
Ｌ１  カラーインク（画像形成用の第１類インク）、
Ｌ２  白インク（下地処理用の第２類インク）、Ｍ１  第１駆動モーター、
Ｍ２  第２駆動モーター、
Ｓ  透明フィルム（電磁波を透過させる透過性を有する被記録媒体）、
Ｗ  紫外線（電磁波）、Ｘ  幅方向、Ｙ  送り方向、Ｚ  鉛直方向
【図１】
0005682752.tif 000002
【図２】
0005682752.tif 000003
【図３】
0005682752.tif 000004
【図４】
0005682752.tif 000005
【図５】
0005682752.tif 000006
【図６】
0005682752.tif 000007
【図７】
0005682752.tif 000008